(57)【特許請求の範囲】
【請求項１】
サイドライト型バックライトモジュールの反射器であって、前記反射器は、第一挟制板と第二挟制板とからなり、前記第一、第二挟制板を以て、一端側を開口とした横向きパネルを形成し、その前記第一、第二挟制板から成る前記横向きパネルの構成材中の少なくとも一つのパネル材上に、複数の散熱孔を前記パネルから成る反射器の温度が最高となる箇所の局部に設置し、且つ、前記反射器外側に、散熱性と導電性がよい媒介を設置することを特徴とするサイドライト型バックライトモジュールの反射器。
【請求項２】
前記反射器の媒介は、好ましい導熱性を有する金属からなる薄膜であることを特徴とする請求項１に記載のサイドライト型バックライトモジュールの反射器。
【請求項３】
前記媒介と前記反射器の接触面は、反射効果のある光面であることを特徴とする請求項１に記載のサイドライト型バックライトモジュールの反射器。
【請求項４】
前記媒介と前記反射器の接触面は、反射材料を塗布した面であることを特徴とする請求項１に記載のサイドライト型バックライトモジュールの反射器。
【請求項５】
前記媒介は、前記反射器の散熱孔の外側にだけ設置されることを特徴とする請求項１に記載のサイドライト型バックライトモジュールの反射器。
【請求項６】
前記媒介はアルミ箔であることを特徴とする請求項１に記載のサイドライト型バックライトモジュールの反射器。
【請求項７】
前記媒介は銅箔であることを特徴とする請求項１に記載のサイドライト型バックライトモジュールの反射器。
【請求項８】
前記媒介は導電貼布であることを特徴とする請求項１に記載のサイドライト型バックライトモジュールの反射器。
【発明の詳細な説明】
【技術分野】
【０００１】
本発明は、サイドライト型バックライトモジュールの反射器に関するものであって、特に、反射器上に散熱孔を設置して、効果的に、ランプの熱エネルギーを散熱し、導電接地する構造に関するものである。
【背景技術】
【０００２】
一般に、情報装置に応用する液晶ディスプレイは、実際の設計の需要に応じて、直下型、或いは、サイドライト型のバックライトモジュール構造を利用する。図１、図２は、サイドライト型バックライトモジュールの基本構造を示す図で、主に、反射器１中に、ランプ源２を設置し、反射器１の一側に開口１１を形成する。開口１１は、導光板３等の素子を挿入して、ランプ源２の光線が、所定の射出方向から、導光板３中に射入し、導光板３の出光面から射出して、光源出光の効果を達成する。
【０００３】
公知の反射器１は、上述の構造により、ランプ２の光源が反射し、光源の光線は、所定の射出方向で投射するが、ランプ源２が発光する時、通常、電極端２１で高熱を生成し、ランプ源２の電極端２１は、長期に渡り、高温の使用状態下で、ランプ源２を損壊させる恐れがあり、ランプ源２、及び、バックライトモジュールの使用寿命を短縮する。
【発明の開示】
【発明が解決しようとする課題】
【０００４】
本発明の目的は、サイドライト型バックライトモジュールの反射器を提供し、上述の問題を改善することにある。
【課題を解決するための手段】
【０００５】
本発明のサイドライト型バックライトモジュールの反射器は、第一挟制板と第二挟制板と、からなり、第一、第二挟制板は、一端が横向きパネルを有し、もう一端が開口を形成している。第一、第二挟制板、或いは、横向きパネルの三者は、少なくとも一つのパネル上に、複数の散熱孔を設置し、且つ、散熱孔に対応する反射器外側に、散熱性と導電性がよい媒介（銅箔、アルミ箔、導電貼布等）を設置しているので、サイドライト型バックライトモジュールのランプ源が生成する熱エネルギーと静電は、反射器の散熱孔により、熱対流、及び、通路を形成して、熱源を媒介に伝達し、媒介の散熱性により、熱エネルギーをバックライトモジュールのその他の機構（バックカバー等）に伝導して、散熱効果を達成すると共に、接地功能を形成し、ランプが過熱になったり、静電によりショートして損壊するのを防止し、ランプ源、及び、サイドライト型バックライトモジュールの使用寿命を延長する。
【発明の効果】
【０００６】
本発明のサイドライト型バックライトモジュールのランプ源が生成する熱エネルギーは、反射器の散熱孔から媒介中に伝達されて、導熱、散熱され、ランプ源が過熱により損壊するのを防止し、ランプ源とサイドライト型バックライトモジュールの使用寿命を延長することができる。
【発明を実施するための最良の形態】
【０００７】
図３は、本発明のサイドライト型バックライトモジュール４を示す図で、主に、第一挟制板４１と第二挟制板４２と、からなり、第一、第二挟制板４１、４２は、一端が横向きパネル４３を有し、もう一端がランプ源５を置入する開口４４を形成している。第一、第二挟制板４１、４２、或いは、横向きパネル４３の三者は、少なくとも一つのパネル上に、複数の散熱孔４５を設置し、散熱孔４５は、実施時に、平均的に、反射器４上に分布するか、或いは、局部的に反射器４の温度が最高になる箇所に設置される。反射器４の外側は、散熱性と導電性がよい媒介４６を設置し、媒介４６は、実施時、銅箔、アルミ箔、導電貼布等により実施し、媒介４６と反射器４の接触面は、反射効果を有する光面か、或いは、反射材料を塗布している。媒介４６は実施時、全面的に、反射器４の外側に設置されるか、或いは、局部的に、反射器４の散熱孔４５を有する対応箇所に設置され（図４で示される）、これにより、材料節約の目的を達成する。
【０００８】
図５で示されるように、本発明の反射器４の実施時、媒介４６は、反射器４の外側に設置されて、散熱孔４５を遮蔽すると共に、ランプ源５（冷陰極ランプ、LED集光棒、或いは、LED発光源）は、開口４４から反射器４中に設置され、反射器４、及び、ランプ源５をサイドライト型バックライトモジュールのバックカバー６間に設置し、この時、媒介４６は反射器４、及び、サイドライト型バックライトモジュールのバックカバー６の間に位置し、続いて、導光板７等のパネルの素子を反射器４の開口中に挿入する。ランプ源５発光時、光源は反射器４の第一、第二挟制板４１、４２、及び、横向けパネル４３の内壁に反射して、導光板７中に進入し、媒介４６の光面、或いは、反射材料を塗布した面は、散熱光４５を通過する光源が、媒介４６により好ましい反射効果を得るので、光源損耗を減少させると共に、ランプ源５の光線は、所定の射出方向から導光板７中に射入し、導光板７の出光面から射出して、光源出光の効果を達成する。ランプ源５が生成する熱エネルギーは、反射器４の散熱孔４５により、熱対流、及び、通路を形成し、熱源を媒介４６上に伝達すると共に、媒介４６の高導熱性、及び、導電性を利用し、熱源をバックカバー６に伝達して、散熱し、接地効果を達成し、ランプ源が過熱、或いは、静電によりショートして損壊するのを防止し、ランプ源５とサイドライト型バックライトモジュールの使用寿命を延長する。この他、バックカバー６の材質が金属である時、静電によりバックライトモジュールの使用功能に影響するのを防止する。
【０００９】
図６は、本発明のもう一つの実施例を示す図である。サイドライト型バックライトモジュールのバックカバー６が、反射器４を完全に被覆していない時、反射器４はバックカバー６の内側に抵接し、媒介４６は反射器４、或いは、バックカバー６の外側を被覆する。これにより、同様に、媒介４６の光面、或いは、反射材料を塗布した面により、散熱孔４５を通過する光源は、媒介４６により好ましい反射効果を得て、ランプ源５が生成する熱エネルギーは、反射器４の散熱孔４５により媒介４６中に伝達され、媒介４６の高導熱性により、熱源をバックカバー６に伝達して、散熱し、ランプ源が過熱で、損壊するのを防止し、ランプ源５とサイドライト型バックライトモジュールの使用寿命を延長する。
【００１０】
本発明は、反射器４の第一挟制板４１と第二挟制板４２、或いは、横向けパネル４３の三者が、少なくとも一つのパネル上に、複数の散熱孔４５を設置し、反射器４の外側は媒介４６を被覆し、これにより、サイドライト型バックライトモジュールのランプ源５が生成する熱エネルギーは、反射器４の散熱孔４５から媒介４６中に伝達されて、導熱、散熱され、ランプ源５が過熱により損壊するのを防止し、ランプ源５とサイドライト型バックライトモジュールの使用寿命を延長する。
【図面の簡単な説明】
【００１１】
【図１】公知の反射器、及び、ランプ源の立体図である。
【図２】公知の反射器をサイドライト型バックライトモジュールに応用した光線の方向を示す図である。
【図３】本発明の反射器の立体図である。
【図４】本発明の反射器のもう一つの実施例の立体図である。
【図５】本発明の反射器をサイドライト型バックライトモジュールに応用した図である。
【図６】本発明の反射器をサイドライト型バックライトモジュールに応用したもう一つの図である。
【符号の説明】
【００１２】
反射器１
ランプ源２
導光板３
サイドライト型バックライトモジュール４
ランプ源５
開口１１
電極端２１
第一挟制板４１
第二挟制板４２
横向きパネル４３
開口４４
散熱孔４５
媒介４６
【図１】
0004818324.tif 000002
【図２】
0004818324.tif 000003
【図３】
0004818324.tif 000004
【図４】
0004818324.tif 000005
【図５】
0004818324.tif 000006
【図６】
0004818324.tif 000007